(57)【要約】  放電装置（30）には、放電電極（35）を挟んで対向電極（36）と反対側に配置され、放電電極（35）と同じ極性となるように構成される放電安定部材（37）と、放電電極（35）から対向電極（36）に向かってストリーマ放電が行われる第１動作と、放電電極（35）でグロー放電が行われる第２動作とが切り換わるように、上記放電電極（35）の電圧Ｖ１と上記放電安定部材（37）の電圧Ｖ２との電圧差Ｖ１−Ｖ２を調節する調節部（40,41）とが設けられる。
2017042992.tif 000002
【特許請求の範囲】
【請求項１】
電源ユニット（31）と、
上記電源ユニット（31）から直流電圧が印加される放電電極（35）及び対向電極（36）と、
上記放電電極（35）を挟んで上記対向電極（36）と反対側に配置され、該放電電極（35）と同じ極性となるように構成される放電安定部材（37）と、
上記放電電極（35）から上記対向電極（36）に向かってストリーマ放電が行われる第１動作と、上記放電電極（35）でグロー放電が行われる第２動作とが切り換わるように、上記放電電極（35）の電圧Ｖ１と上記放電安定部材（37）の電圧Ｖ２との電圧差Ｖ１−Ｖ２を調節する調節部（40,41）と
を備えている
ことを特徴とする放電装置。
【請求項２】
請求項１において、
上記調節部（40,41）は、上記第１動作において上記電圧差Ｖ１−Ｖ２を第１の所定値以下とし、上記第２動作において上記電圧差Ｖ１−Ｖ２を上記第１の所定値以上の第２の所定値より大きくするように構成される
ことを特徴とする放電装置。
【請求項３】
請求項１又は２において、
上記調節部（40,41）は、上記第２動作において上記放電安定部材（37）の電圧をゼロにする
ことを特徴とする放電装置。
【請求項４】
請求項３において、
上記電源ユニット（31）は、上記放電電極（35）及び対向電極（36）が接続される１つの電源（32）を有し、
上記放電安定部材（37）は、上記放電電極（35）と接触することで該放電電極（35）と導通するように構成され、
上記調節部（40,41）は、上記第１動作において上記放電電極（35）と上記放電安定部材（37）とが接触し、上記第２動作において上記放電電極（35）と上記放電安定部材（37）とが離れるように、上記放電電極（35）及び放電安定部材（37）の相対的な位置を変更させる変位機構（40）を有している
ことを特徴とする放電装置。
【請求項５】
請求項１又は２において、
上記電源ユニット（31）は、
上記放電電極（35）及び対向電極（36）が接続される第１電源（33）と、
上記放電安定部材（37）が接続される第２電源（34）とを有し、
上記調節部（40,41）は、上記第１動作において上記第１電源（33）と上記第２電源（34）との双方をＯＮ状態とし、上記第２動作において上記第１電源（33）をＯＮ状態、上記第２電源（34）をＯＦＦ状態とする電源制御部（41）を有している
ことを特徴とする放電装置。
【請求項６】
空気を浄化する空気清浄機であって、
請求項１乃至５のいずれか１つの放電装置（30）を備えている
ことを特徴とする空気清浄機。
【請求項７】
対象空間（S）の換気を行う換気装置であって、
請求項１乃至５のいずれか１つの放電装置（30）を備えている
ことを特徴とする換気装置。
【発明の詳細な説明】
【技術分野】
【０００１】
本発明は、放電装置、該放電装置を備えた空気清浄機、及び該放電装置を備えた換気装置に関する。
【背景技術】
【０００２】
従来より、放電を行う放電装置が知られており、空気清浄機や換気装置等に搭載されている。【０００３】
特許文献１には、この種の空気清浄機が開示されている。この空気清浄機は、ケーシングの内部の空気流路が形成される。空気流路には、ストリーマ放電部と、荷電部と、集塵部とが設けられる。【０００４】
ストリーマ放電部（第１の放電装置）には、放電電極と対向電極とが設けられる。電源からこれらの電極に電圧が印加されると、放電電極から対向電極に向かってストリーマ放電が行われる。この結果、有害物質を分解するための活性種が生成される。【０００５】
荷電部（第２の放電装置）には、イオン化線と、板状電極とが設けられる。電源からイオン化線に電圧が印加されると、イオン化線ではグロー放電が行われる。この結果、イオン化線の周囲には、空気中の塵埃を帯電させるための電界が形成される。荷電部で帯電した塵埃は、集塵部の集塵電極の表面に電気的に捕集される。
【先行技術文献】
【特許文献】
【０００６】
【特許文献１】特開２００６−０１９２６５号公報
【発明の概要】
【発明が解決しようとする課題】
【０００７】
特許文献１では、ストリーマ放電を行うための放電装置と、グロー放電を行うための放電装置とをそれぞれ個別に設ける必要がある。このため、部品点数が多くなり、装置の複雑化、大型化を招くという問題が生じる。【０００８】
本発明は、かかる点に鑑みてなされたものであり、その目的は、１つの放電装置において、ストリーマ放電とグロー放電とを行えるようにすることである。
【課題を解決するための手段】
【０００９】
第１の発明は、放電装置を対象とし、電源ユニット（31）と、電源ユニット（31）から直流電圧が印加される放電電極（35）及び対向電極（36）と、放電電極（35）を挟んで上記対向電極（36）と反対側に配置され、該放電電極（35）と同じ極性となるように構成される放電安定部材（37）と、上記放電電極（35）から上記対向電極（36）に向かってストリーマ放電が行われる第１動作と、上記放電電極（35）でグロー放電が行われる第２動作とが切り換わるように、上記放電電極（35）の電圧Ｖ１と上記放電安定部材（37）の電圧Ｖ２との電圧差Ｖ１−Ｖ２を調節する調節部（40,41）とを備えていることを特徴とする。【００１０】
第１の発明では、放電電極（35）を挟んで対向電極（36）と反対側に放電安定部材（37）が設けられる。放電安定部材（37）は、放電電極（35）と同じ極性となるように構成される。このため、放電電極（35）の電圧Ｖ１と対向電極（36）の電圧Ｖ２の電圧差Ｖ１−Ｖ２が変化すると、放電電極（35）での放電の形態が変化する。【００１１】
具体的には、調節部（40,41）は、この電圧差Ｖ１−Ｖ２を調節することで第１動作と第２動作とを切り換える。第１動作では、放電電極（35）から対向電極（36）に向かってストリーマ放電が行われる。ストリーマ放電に伴い空気中で活性種が生成される。この活性種により空気中の有害成分が除去される。第２動作では、放電電極（35）でグロー放電が行われる。グロー放電に伴い空気中の塵埃が帯電される。【００１２】
第２の発明は、第１の発明において、上記調節部（40,41）は、上記第１動作において上記電圧差Ｖ１−Ｖ２を第１の所定値以下とし、上記第２動作において上記電圧差Ｖ１−Ｖ２を上記第１の所定値以上の第２の所定値より大きくするように構成される。【００１３】
第２の発明では、第１動作において、調節部（40,41）は、電圧差Ｖ１−Ｖ２を第１の所定値以下とする。つまり、第１動作では、放電電極（35）の電圧Ｖ１と放電安定部材（37）の電圧Ｖ２との差が小さくなるので、放電電極（35）は放電安定部材（37）側の電界の影響を受ける。これにより、放電電極（35）から、放電安定部材（37）の反対側の対向電極（36）に向かってストリーマ放電が行われる。【００１４】
第２動作において、調節部（40,41）は、電圧差Ｖ１−Ｖ２を第２の所定値より大きくする。第２の所定値は、第１の所定値と同じ又はそれよりも大きい。このように放電電極（35）の電圧Ｖ１が、対向電極（36）の電圧Ｖ２と比して相対的に大きくなると、放電電極（35）は放電安定部材（37）側の電界の影響を受けにくくなる。これにより、放電電極（35）では、グロー放電が行われる。【００１５】
第３の発明は、第１又は第２の発明において、上記調節部（40,41）は、上記第２動作において上記放電安定部材（37）の電圧をゼロにすることを特徴とする。【００１６】
第３の発明では、第２動作において、調節部（40,41）は、放電安定部材（37）の電圧をゼロとする。これにより、電圧差Ｖ１−Ｖ２を十分に確保でき、放電電極（35）においてグロー放電を確実に行うことができる。【００１７】
第４の発明は、第３の発明において、上記電源ユニット（31）は、上記放電電極（35）及び対向電極（36）が接続される１つの電源（32）を有し、上記放電安定部材（37）は、上記放電電極（35）と接触することで該放電電極（35）と導通するように構成され、上記調節部は、上記第１動作において上記放電電極（35）と上記放電安定部材（37）とが接触し、上記第２動作において上記放電電極（35）と上記放電安定部材（37）とが離れるように、上記放電電極（35）及び放電安定部材（37）の相対的な位置を変更させる変位機構（40）を有していることを特徴とする。【００１８】
第４の発明では、変位機構（40）が放電電極（35）と放電安定部材（37）の相対的な位置を変更させることで、第１動作と第２動作とを切り換える。第１動作では、放電電極（35）と放電安定部材（37）とが接触し、放電電極（35）と放電安定部材（37）とが通電する。これにより、放電電極（35）と放電安定部材（37）とは実質的に同じ電位となる。この結果、放電電極（35）から対向電極（36）に向かってストリーマ放電が行われる。第２動作では、放電電極（35）と放電安定部材（37）とが離れる位置になる。これにより、放電安定部材（37）と放電電極（35）とが電気的に断続され、放電安定部材（37）の電圧Ｖ２がゼロになる。この結果、放電電極（35）ではグロー放電が行われる。【００１９】
第５の発明は、第１又は第２の発明において、上記電源ユニット（31）は、上記放電電極（35）及び対向電極（36）が接続される第１電源（33）と、上記放電安定部材（37）が接続される第２電源（34）とを有し、上記調節部は、上記第１動作において上記第１電源（33）と上記第２電源（34）との双方をＯＮ状態とし、上記第２動作において上記第１電源（33）をＯＮ状態、上記第２電源（34）をＯＦＦ状態とする電源制御部（41）を有していることを特徴とする。【００２０】
第５の発明では、電源制御部（41）が第２電源（34）のＯＮ／ＯＦＦ状態を変更することで、第１動作と第２動作とを切り換える。第１動作では、放電電極（35）に対応する第１電源（33）と放電安定部材（37）に対応する第２電源（34）とがＯＮ状態になる。このため、電位差Ｖ１−Ｖ２が小さくなり、ストリーマ放電が行われる。第２動作では、第１電源（33）がＯＮ状態になる一方、第２電源（34）はＯＦＦ状態になる。このため、電位差Ｖ１−Ｖ２が大きくなり、グロー放電が行われる。【００２１】
第６の発明は、空気を浄化する空気清浄機を対象とし、第１乃至第５のいずれか１つの発明の放電装置（30）を備えている。【００２２】
第６の発明では、空気清浄機の放電装置（30）において、ストリーマ放電とグロー放電とが切り換えて行われる。【００２３】
第７の発明は、対象空間（S）の換気を行う換気装置を対象とし、第１乃至第５のいずれか１つの発明の放電装置（30）を備えている。【００２４】
第７の発明では、換気装置の放電装置（30）において、ストリーマ放電とグロー放電とが切り換えて行われる。
【発明の効果】
【００２５】
第１の発明によれば、放電電極（35）の電圧Ｖ１と放電安定部材（37）の電圧Ｖ２との差Ｖ１−Ｖ２を調節することで、１つの放電装置において、ストリーマ放電とグロー放電とを相互に切り換えることができる。従って、部品点数の削減、装置の簡素化、装置の小型化を図ることができる。【００２６】
第２の発明によれば、電圧差Ｖ１−Ｖ２を第１の所定値以下とすることでストリーマ放電を安定して行うことができる。電圧差Ｖ１−Ｖ２を第２の所定値より大きくすることで、グロー放電を安定して行うことができる。特に第３の発明では、放電安定部材（37）の電圧Ｖ２をゼロとすることで電圧差Ｖ１−Ｖ２を確保でき、グロー放電を確実に行うことができる。【００２７】
第４の発明によれば、変位機構（40）により放電安定部材（37）を変位させることで、電源ユニット（31）の複雑化を招くことなく、ストリーマ放電とグロー放電とを確実に切り換えることができる。【００２８】
第５の発明によれば、電源制御部（41）により第２電源（34）のＯＮ／ＯＦＦ状態を切り換えることで、ストリーマ放電とグロー放電とを簡便且つ確実に切り換えることができる。【００２９】
第６の発明では、空気清浄機の部品点数の削減、装置の簡素化、装置の小型化を図ることができる。【００３０】
第７の発明では、換気装置の部品点数の削減、装置の簡素化、装置の小型化を図ることができる。
【図面の簡単な説明】
【００３１】
【図１】図１は、実施形態１に係る空気清浄機の概略の構成図である。
【図２】図２は、実施形態１に係る放電装置の概略の構成図である。
【図３】図３は、グロー放電（第２動作）が行われる状態の図２に相当する図である。
【図４】図４は、ストリーマ放電（第１動作）が行われる状態の図２に相当する図である。
【図５】図５は、第１動作が行われる放電装置と、第２動作が行われる放電装置のＶ−Ｉ特性を表したグラフである。
【図６】図６は、電圧差Ｖ１−Ｖ２と、放電状態の関係を説明するためのグラフである。
【図７】図７は、実施形態１の変形例１に係る放電装置の図２に相当する図である。
【図８】図８は、実施形態１の変形例１に係る放電装置の図３に相当する図である。
【図９】図９は、実施形態１の変形例１に係る放電装置の図４に相当する図である。
【図１０】図１０は、実施形態１の変形例２に係る放電装置の図２に相当する図である。
【図１１】図１１は、実施形態１の変形例２に係る放電装置の図３に相当する図である。
【図１２】図１２は、実施形態１の変形例２に係る放電装置の図４に相当する図である。
【図１３】図１３は、実施形態１の変形例３の空気清浄機に係る図１に相当する図である。
【図１４】図１４は、実施形態１の変形例４（第１の例）の空気清浄機に係る図１に相当する図である。
【図１５】図１５は、実施形態１の変形例４（第２の例）の空気清浄機に係る図１に相当する図である。
【図１６】図１６は、実施形態２の換気装置の概略の構成図である。
【図１７】図１７は、実施形態２の変形例に係る換気装置の概略の構成図である。
【発明を実施するための形態】
【００３２】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３３】
《発明の実施形態１》
実施形態１に係る放電装置（30）は、住宅等の室内に適用される空気清浄機（1）に適用される。
【００３４】
〈空気清浄機の全体構成〉
図１に示すように、空気清浄機（１）は、ケーシング（10）を有している。ケーシング（10）は、中空状の箱形に形成されている。ケーシング（10）には、２つの吸込口（11）と、１つの吹出口（12）とが形成されている。各吸込口（11）はケーシング（10）の前側部分に形成され、吹出口（12）はケーシング（10）の後側部分に形成される。各吸込口（11）と吹出口（12）の間には、空気が流れる空気流路（13）が形成される。
【００３５】
空気流路（13）には、空気の上流から下流側に向かって順に、放電装置（30）、プレフィルタ（14）、集塵部（20）、脱臭フィルタ（15）、及びファン（16）が配置される。
【００３６】
本実施形態の放電装置（30）は、空気流路（13）における各吸込口（11）の近傍に１つずつ設けられる。放電装置（30）は、ストリーマ放電とグロー放電とを切り換えて行うように構成される。放電装置（30）でストリーマ放電（厳密にはストリーマ・コロナ放電）が行われると、空気中の有害成分を分解するための活性種（ラジカル等の酸化能力が高い物質）が生成される。放電装置（30）でグロー放電（厳密にはグロー・コロナ放電）が行われると、空気中の塵埃を帯電・イオン化するための電界が形成される。放電装置（30）の詳細な構成は後述する。
【００３７】
プレフィルタ（14）は、シート状あるいは板状に形成される。プレフィルタ（14）は、空気中の塵埃を物理的に捕集する。
【００３８】
集塵部（20）は、高圧電極（21）と集塵電極（22）とを有している。高圧電極（21）及び集塵電極（22）は、それぞれ板状の電極で構成される。高圧電極（21）と集塵電極（22）とは、これらの各平面部が互いに対向している。高圧電極（21）及び集塵電極（22）は、高圧電源（図示省略）に接続される。例えば高圧電極（21）はプラス電位となり、集塵電極（22）はゼロ電位となっている。高圧電極（21）と集塵電極（22）との間には、イオン化された塵埃を捕集するための電界が形成される。
【００３９】
脱臭フィルタ（15）は、例えばハニカム構造の基材の表面に触媒を担持させたものである。この触媒には、マンガン系の触媒や貴金属系の触媒が用いられる。脱臭フィルタ（15）には、空気中の有害成分や臭気成分を吸着する吸着剤（例えば活性炭）が担持される。
【００４０】
ファン（16）は、室内の空気を吸込口（11）を通じて空気流路（13）に吸い込む。ファン（16）は、空気流路（13）の空気を吹出口（12）を通じて室内へ搬送する。
【００４１】
〈放電装置の構成〉
放電装置（30）の構成について、図２〜図４を参照しながら説明する。
【００４２】
放電装置（30）は、電源ユニット（31）と、放電電極（35）と、対向電極（36）と、スタビライザ（37）とを有している。
【００４３】
〔電源ユニット〕
電源ユニット（31）は、放電電極（35）と対向電極（36）とに接続され、両電極（35,36）に高圧の直流電圧（例えば約６．０ｋＶ）を供給する。本実施形態の電源ユニット（31）は、１つの電源（32）を有している。電源（32）は、高圧の直流電源で構成される。電源（32）の正極側には放電電極（35）が接続され、電源（32）の負極側には対向電極（36）が接続される。電源（32）の負極側は接地されている。これにより、放電電極（35）は陽極の電極を構成し、対向電極（36）はアース電極を構成する。放電電極（35）を陰極の電極としてもよい。
【００４４】
〔放電電極〕
放電電極（35）は、金属材料で構成される。本実施形態の放電電極（35）は、一直線に延びる線状ないし細長い棒状に形成されるが、例えば突起状等の他の形状であってもよい。放電電極（35）は、縦断面が全体に亘って同一の形状であるのが好ましい。
【００４５】
〔対向電極〕
対向電極（36）は、金属材料で構成される。放電電極（35）は、放電電極（35）と平行な平面を有する板状に形成される。対向電極（36）の形状はこれに限られず、例えば柱状であってもよい。対向電極（36）は、放電電極（35）よりも長さ及び幅がともに広い。本実施形態では、放電電極（35）と対向電極（36）との間の距離Ｌ１が５．０ｍｍである。
【００４６】
〔スタビライザ〕
スタビライザ（37）は、導電性の樹脂材料又は金属材料であり、放電安定部材を構成している。スタビライザ（37）は、支持部（38）と庇部（39）とを有している。支持部（38）は、放電電極（35）の基部（35a）の上部に設置される。支持部（38）は、放電電極（35）と庇部（39）との間に位置する。庇部（39）は、放電電極（35）を挟んで対向電極（36）と反対側に配置される。庇部（39）は、放電電極（35）と平行な平面を有する板状に形成される。つまり、庇部（39）、放電電極（35）、及び対向電極（36）はそれぞれ平行に配置される。本実施形態では、対向電極（36）と庇部（39）との間の距離Ｌ２は、上記距離Ｌ１と等しく５．０ｍｍである。
【００４７】
スタビライザ（37）は、放電電極（35）と通電可能に構成される。つまり、スタビライザ（37）は、放電電極（35）と同じ極性となるように構成される。
【００４８】
〔変位機構〕
放電装置（30）は、スタビライザ（37）を変位させる変位機構（40）を有している。変位機構（40）は、放電電極（35）の電圧Ｖ１と庇部（39）の電圧Ｖ２との電圧差Ｖ１−Ｖ２を調節する調節部を構成する。具体的に、変位機構（40）は、例えばモータ（駆動部）と、該モータの回転動力をスタビライザ（37）の往復運動に変換する変換部とで構成される。これにより、スタビライザ（37）は、変位機構（40）により、放電電極（35）と接触する位置（図４に示す位置）と、放電電極（35）と離れる位置（図３に示す位置）との間を変位可能に構成される。
【００４９】
スタビライザ（37）が図４に示す位置になると、放電電極（35）とスタビライザ（37）が接触し、放電電極（35）とスタビライザ（37）とが実質的に同じ電位となる。つまり、電圧差Ｖ１−Ｖ２が０となり、第１の所定値（例えば０．３ｋＶ）以下となる。これにより、図４に示す状態では、放電電極（35）から対向電極（36）に向かってストリーマ放電（第１動作）が行われる。ストリーマ放電が行われると、空気中で活性種（高速電子、イオン、ラジカル、オゾン等）が生成される。
【００５０】
スタビライザ（37）が図３に示す位置になると、放電電極（35）とスタビライザ（37）が離れ、放電電極（35）とスタビライザ（37）とが断続状態となる。これにより、スタビライザ（37）の電圧Ｖ２がほぼ０となる。一方、放電電極（35）の電圧Ｖ１は、例えば６．０ｋＶとなる。つまり、電圧差Ｖ１−Ｖ２が第２の所定値（例えば０．３ｋＶ）よりも大きくなる。これにより、図３に示す状態では、放電電極（35）でグロー放電（第２動作）が行われる。グロー放電が行われると、放電電極（35）の周囲には、空気中の塵埃を捕捉するための電界が形成される。
【００５１】
−運転動作−
空気清浄機（1）の運転動作について図１、図３、図４を参照しながら説明する。空気清浄機（1）は、放電装置（30）でストリーマ放電が行われる運転（脱臭優先運転）と、放電装置（30）でグロー放電が行われる運転（集塵優先運転）とが切り換えて行われる。各運転では、ファン（16）が運転され、室内の空気が空気流路（13）へ導入される。
【００５２】
〔脱臭優先運転〕
脱臭優先運転では、変位機構（40）がスタビライザ（37）を図４に示す位置に変位させる。これにより、放電装置（30）では、放電電極（35）とスタビライザ（37）とが同じ極性、同じ電位となり、放電電極（35）から対向電極（36）に向かってストリーマ放電が行われる。
【００５３】
吸込口（11）を通じて空気流路（13）に吸い込まれた空気は、放電装置（30）の周囲を流れる。放電装置（30）でストリーマ放電が行われると、活性種が生成される。この活性種により、空気中の有害物質（臭気成分やアレルゲン等）が分解される。
【００５４】
放電装置（30）を通過した空気は、プレフィルタ（14）を通過する。プレフィルタ（14）では、空気中の比較的大きな塵埃が捕集される。この空気は、集塵部（20）を通過し、脱臭フィルタ（15）を通過する。脱臭フィルタ（15）では、空気中に残存する臭気成分等が除去される。
【００５５】
以上のようにして清浄化された空気は、吹出口（12）を通じて室内へ供給される。
【００５６】
〔集塵優先運転〕
集塵優先運転では、変位機構（40）がスタビライザ（37）を図３に示す位置に変位させる。これにより、放電装置（30）では、放電電極（35）とスタビライザ（37）の電圧差Ｖ１−Ｖ２が所定値より大きくなり、放電電極（35）でグロー放電が行われる。
【００５７】
吸込口（11）を通じて空気流路（13）に吸い込まれた空気は、放電装置（30）の周囲を流れる。放電装置（30）でグロー放電が行われると、放電電極（35）の周囲に空気中の塵埃を帯電（イオン化）するための電界が形成される。本実施形態では、この電界により、空気中の塵埃が正の電荷に帯電する。
【００５８】
放電装置（30）を通過した空気は、プレフィルタ（14）を通過する。プレフィルタ（14）では、空気中の比較的大きな塵埃が捕集される。この空気は、集塵部（20）を通過する。
【００５９】
集塵部（20）では、正の電荷を帯びた塵埃が集塵電極（22）に誘引され、集塵電極（22）の表面に付着する。これにより、空気中の小さな塵埃が捕集される。この空気は、脱臭フィルタ（15）を通過する。脱臭フィルタ（15）では、空気中に残存する臭気成分等が除去される。
【００６０】
以上のようにして清浄化された空気は、吹出口（12）を通じて室内へ供給される。
【００６１】
〈２つの放電の切り換えについて〉
以上のように、本実施形態の放電装置（30）では、電圧差Ｖ１−Ｖ２を調節することで、ストリーマ放電とグロー放電とを適宜切り換えることができる。このような２つの放電の切り換えを検証した結果について、図５及び図６を参照しながら説明する。
【００６２】
図５の実線Ｘ１は、放電電極（35）の電圧Ｖ１とスタビライザ（37）の電圧Ｖ２とが概ね等しい状態（即ち、図４に示す状態）において、放電電極（35）の電圧Ｖ１と放電電流との関係（Ｖ−Ｉ特性）を示すものである。また、図５の実線Ｘ２は、放電電極（35）の電圧Ｖ１とスタビライザ（37）の電圧Ｖ２との差Ｖ１−Ｖ２が所定値（例えば０．３ｋＶ）より大きい状態（即ち、図３に示す状態）において、放電電極（35）の電圧Ｖ１と放電電流との関係（Ｖ−Ｉ特性）を示すものである。
【００６３】
図５から明らかのように、実線Ｘ１のＶ−Ｉ特性と実線Ｘ２のＶ−Ｉ特性とが全く異なっている。具体的に、放電電極（35）の電圧Ｖ１が比較的大きくなると、実線Ｘ１の放電電流が、実線Ｘ２と比較して極めて大きくなっている。つまり、実線Ｘ１の状態の放電装置では、ストリーマ放電が行われることに起因して、放電電流が上昇する傾向にある。一方、実線Ｘ２の状態の放電装置では、グロー放電が行われることに起因して、放電電流が比較的低い状態を維持している。このことからも、放電装置（30）では、電圧差Ｖ１−Ｖ２を調節することで、ストリーマ放電とグロー放電とを相互に切り換えることができるのは明らかである。
【００６４】
図６は、放電電極（35）の電圧Ｖ１とスタビライザ（37）の電圧Ｖ２との関係を表したグラフであり、ストリーマ放電とグロー放電とが、どのような電圧条件で行われるかを検証したものである。
【００６５】
図６のグラフより、電位差Ｖ１−Ｖ２が０以上、０．３ｋＶ以下であると、放電装置（30）でストリーマ放電が安定して行われることがわかる。一方、電位差Ｖ１−Ｖ２が０．３より大きくなると、グロー放電が生じやすいことがわかる。以上より、調節部（変位機構（40））は、ストリーマ放電（第１動作）を行うために、電位差Ｖ１−Ｖ２を０．３ｋＶ以下に調節するのが好ましく、０とするのが更に好ましい。また、調節部（変位機構（40））は、グロー放電（第２動作）を行うために、電位差Ｖ１−Ｖ２を０．３ｋＶより大きくするのが好ましく、０．５ｋＶより大きくするのが更に好ましい。
【００６６】
−実施形態１の効果−
上記実施形態１によれば、放電電極（35）の電圧Ｖ１と放電安定部材（37）の電圧Ｖ２との差Ｖ１−Ｖ２を調節することで、１つの放電装置（30）において、ストリーマ放電とグロー放電とを相互に切り換えることができる。従って、部品点数の削減、装置の簡素化、装置の小型化を図ることができる。また、変位機構（40）により放電安定部材（37）を変位させることで、電源ユニット（31）の複雑化を招くことなく、ストリーマ放電とグロー放電とを確実に切り換えることができる。
【００６７】
《実施形態１の変形例》
上記実施形態１の放電装置（30）は、以下のような変形例の構成としてもよい。
【００６８】
〈実施形態１の変形例１〉
図７〜図９に示す変形例１の放電装置（30）は、上記実施形態と電源ユニット（31）、スタビライザ（37）、及び調節部の構成が異なる。
【００６９】
変形例１の電源ユニット（31）には、高圧の直流電源である第１電源（33）と、高圧の直流電源である第２電源（34）とが設けられる。第１電源（33）の正極側には放電電極（35）が接続され、第２電源（34）の正極側にはスタビライザ（37）（庇部（39））が接続される。これらの電源（33,34）の負極側には、対向電極（36）及びアースが接続される。第１電源（33）と第２電源（34）の出力電圧は互いに等しい。
【００７０】
変形例１のスタビライザ（37）は、所定の位置に固定され、上記実施形態のように変位可能に構成されていない。図７のスタビライザ（37）は、上記実施形態の支持部（38）を有していない。しかし、スタビライザ（37）は支持部（38）を有し、この支持部（38）が絶縁部材を介して放電電極（35）に固定されていてもよい。
【００７１】
変形例１の調節部は、電源制御部（41）で構成される。電源制御部（41）は、第１電源（33）と第２電源（34）のＯＮ／ＯＦＦ状態を切り換える。
【００７２】
具体的に、上述した脱臭優先運転（第１動作）では、電源制御部（41）が第１電源（33）と第２電源（34）との双方をＯＮ状態とする。これにより、第１電源（33）から放電電極（35）に所定の電圧が印加され、第２電源（34）からスタビライザ（37）に所定の電圧が印加される。２つの電源（33,34）の出力電圧が等しいとすると、放電電極（35）の電圧Ｖ１とスタビライザ（37）の電圧Ｖ２との差Ｖ１−Ｖ２はゼロとなる。従って、上述したように放電装置（30）ではストリーマ放電が行われる。
【００７３】
上述した集塵優先運転（第２動作）では、電源制御部（41）が第１電源（33）をＯＮ状態とし、第２電源（34）をＯＦＦ状態とする。これにより、放電装置（30）では、電圧差Ｖ１−Ｖ２が所定値より大きくなり、グロー放電が行われる。
【００７４】
このように変形例１では、スタビライザ（37）を変位させずとも、ストリーマ放電とグロー放電とを確実に切り換えることができる。それ以外の作用効果は上述した実施形態と同様である。
【００７５】
〈実施形態１の変形例２〉
図１０〜図１２に示す変形例２の放電装置（30）は、変形例１と電源ユニット（31）、及び電源制御部（41）の構成が異なる。
【００７６】
変形例２の電源ユニット（31）には、高圧の直流電源である１つの電源（32）が設けられる。電源（32）の正極側には、放電電極（35）とスタビライザ（37）とが並行に接続される。放電電極（35）とスタビライザ（37）とは、互いに導通しないように離れて配置される。電源ユニット（31）では、スタビライザ（37）と電源（32）の間にスイッチ（42）が接続される。スイッチ（42）がＯＮ状態になると、放電電極（35）及びスタビライザ（37）が電源（32）の正極側と導通する。スイッチ（42）がＯＦＦ状態になると、放電電極（35）が電源（32）の正極側と導通し、スタビライザ（37）は電源（32）と断続する。
【００７７】
変形例２の調節部は、電源制御部（41）で構成される。電源制御部（41）は、スイッチ（42）のＯＮ／ＯＦＦ状態を切り換える。
【００７８】
具体的に、上述した脱臭優先運転（第１動作）では、電源制御部（41）がスイッチ（42）をＯＮ状態とする。これにより、電源（32）から放電電極（35）とスタビライザ（37）の双方に電圧が印加され、電圧差Ｖ１−Ｖ２はゼロとなる。従って、上述したように放電装置（30）ではストリーマ放電が行われる。
【００７９】
上述した集塵優先運転（第２動作）では、電源制御部（41）がスイッチ（42）をＯＦＦ状態とする。これにより、放電装置（30）では、電源（32）から放電電極（35）のみに電圧が印加され、電圧差Ｖ１−Ｖ２が所定値より大きくなり、グロー放電が行われる。
【００８０】
このように変形例２においても、スタビライザ（37）を変位させずとも、ストリーマ放電とグロー放電とを切り換えることができる。また、変形例１と異なり、電源ユニット（31）に１つの電源（32）のみを設ければよい。それ以外の作用効果は上述した実施形態と同様である。
【００８１】
〈実施形態１の変形例３〉
上記実施形態１では、空気流路（13）における各吸込口（11）の近傍に１つずつ放電装置（30）を配置している。しかし、例えば図１３に示すように、１つ又は２つ以上の放電装置（30）をプレフィルタ（14）の上流側近傍に配置してもよい。
【００８２】
〈実施形態１の変形例４〉
上記実施形態１では、プレフィルタ（14）の上流側に放電装置（30）を配置している。しかしながら、図１４及び図１５に示すように、プレフィルタ（14）の下流側に放電装置（30）を配置してもよい。
【００８３】
図１４の例では、２つの吸込口（11）の内部近傍にそれぞれ１つずつプレフィルタ（14）が配置される。そして、各プレフィルタ（14）の下流面の近傍に１つずつ放電装置（30）が配置される。図１５の例では、ケーシング（10）の内部に１つのプレフィルタ（14）が配置され、その下流面に沿うように２つの放電装置（30）が配置される。
【００８４】
なお、プレフィルタ（14）の上流側と下流側とにそれぞれ放電装置（30）を配置することもできる。
【００８５】
《発明の実施形態２》
実施形態２に係る放電装置（30）は、対象空間である室内空間（S）を換気する換気装置（50）に適用される。
【００８６】
図１６に示す換気装置（50）は、室外空気を室内へ供給すると同時に室内空気を室外へ排出する、いわゆる第１種換気を行うものである。換気装置（50）は、本体ケーシング（60）、外気吸込ダクト（51）、給気ダクト（52）、及び排気ダクト（53）を備えている。
【００８７】
本体ケーシング（60）は、室内空間（S）に面する天井（C）の裏側に配置される。本体ケーシング（60）の内部には、給気側流路（70）と排気側流路（61）とが形成される。本体ケーシング（60）の底板には、室内吸込口（61a）が形成される。室内吸込口（61a）は、天井（C）に形成された吸込グリル（55）と接続している。これにより、排気側流路（61）の流入部と室内空間（S）とが、室内吸込口（61a）及び吸込グリル（55）を介して連通する。
【００８８】
外気吸込ダクト（51）の流入端は、屋外に連通している。外気吸込ダクト（51）の流出端は、本体ケーシング（60）に接続され、給気側流路（70）の流入部と連通している。給気ダクト（52）の流入端は、本体ケーシング（60）に接続され、給気側流路（70）の流出部と連通している。給気ダクト（52）の流出端は、室内空間（S）に連通している。排気ダクト（53）の流入端は、本体ケーシング（60）に接続され、排気側流路（61）の流出部と連通している。排気ダクト（53）の流出端は、屋外に連通している。
【００８９】
排気側流路（61）には、上流から下流に向かって順に、全熱交換器（62）の第１流通部（62a）、排気ファン（63）が配置される。全熱交換器（62）は、第１流通部（62a）と第２流通部（62b）とを有し、これらの流通部（62a,62b）を流れる空気の潜熱や顕熱を熱交換させる。これにより、室内へ供給される空気の温度や湿度が調節される。排気ファン（63）は、室内空気を排気側流路（61）へ取り込み、この空気を搬送して室外へ排出する。
【００９０】
給気側流路（70）には、上流から下流に向かって順に、プレフィルタ（14）、放電装置（30）、静電フィルタ（71）、脱臭フィルタ（15）、全熱交換器（62）の第２流通部（62b）、及び給気ファン（72）が配置される。プレフィルタ（14）、放電装置（30）、及び脱臭フィルタ（15）の構成は、上記実施形態１と同様である。なお、放電装置（30）は、上述した各変形例の構成を採用してもよい。静電フィルタ（71）は、放電装置（30）によって帯電された空気中の塵埃を電気的に誘引して捕捉する。給気ファン（72）は、室外空気を給気側流路（70）へ取り込み、この空気を搬送して室内へ供給する。
【００９１】
実施形態２の換気装置（50）においても、上記実施形態１と同様、脱臭優先運転と集塵優先運転とが切り換えて行われる。つまり、１つの放電装置（30）において、ストリーマ放電とグロー放電とを相互に切り換えることができる。
【００９２】
なお、放電装置（30）は、プレフィルタ（14）の上流側に配置してもよい。この場合には、放電装置（30）を外気吸込ダクト（51）の内部に配置してもよい。また、プレフィルタ（14）の上流側と下流側とにそれぞれ放電装置（30）を配置することもできる。
【００９３】
また、実施形態２に係る全熱交換器（62）を省略した構成としてもよい。
【００９４】
〈実施形態２の変形例〉
図１７に示す変形例に係る換気装置（50）は、室外空気を室内へ供給するが室内空気は排気しない、いわゆる第２種換気を行うものである。つまり、換気装置（50）では、上記実施形態２に係る排気側の空気流路に係る構成が省略されている。この換気装置（50）においても、１つの放電装置（30）において、ストリーマ放電とグロー放電とを相互に切り換えることができる。
【００９５】
なお、この変形例においても、放電装置（30）をプレフィルタ（14）の上流側に配置してよい。この場合には、放電装置（30）を外気吸込ダクト（51）の内部に配置してもよい。また、プレフィルタ（14）の上流側と下流側とにそれぞれ放電装置（30）を配置することもできる。
【００９６】
《その他の実施形態》
上記した各実施形態（変形例も含む）については、以下のような構成としてもよい。
【００９７】
上述した変位機構（40）は、スタビライザ（37）を変位させることで、第１動作と第２動作とを切り換えている。しかし、変位機構（40）は、放電電極（35）を変位させる、あるいは放電電極（35）とスタビライザ（37）との双方を変位させることで、第１動作と第２動作とを切り換えるものであってもよい。
【００９８】
放電装置（30）を空気調和装置や調湿装置等の他の装置に適用してもよい。
【産業上の利用可能性】
【００９９】
以上説明したように、本発明は、放電装置、空気清浄機、及び換気装置について有用である。
【符号の説明】
【０１００】
1      空気清浄機
10     放電装置
31     電源ユニット
32     電源
33     第１電源
34     第２電源
35     放電電極
36     対向電極
37     放電安定部材
40     変位機構（調節部）
41     電源制御部（調節部）
50     換気装置
S      室内空間（対象空間）
【図１】
2017042992.tif 000003
【図２】
2017042992.tif 000004
【図３】
2017042992.tif 000005
【図４】
2017042992.tif 000006
【図５】
2017042992.tif 000007
【図６】
2017042992.tif 000008
【図７】
2017042992.tif 000009
【図８】
2017042992.tif 000010
【図９】
2017042992.tif 000011
【図１０】
2017042992.tif 000012
【図１１】
2017042992.tif 000013
【図１２】
2017042992.tif 000014
【図１３】
2017042992.tif 000015
【図１４】
2017042992.tif 000016
【図１５】
2017042992.tif 000017
【図１６】
2017042992.tif 000018
【図１７】
2017042992.tif 000019
【国際調査報告】
2017042992.tif 000020
2017042992.tif 000021
2017042992.tif 000022
2017042992.tif 000023